(57)【要約】      （修正有）【課題】基板表面に半田固定した後、これを裏返して裏面への半田付け処理を行う際に脱落しないよう固定可能であり、かつ実装される基板の小型化を可能とする面実装型コネクタ、及び電子装置を提供する。【解決手段】基板の表面上に実装される面実装型コネクタであって、絶縁性ハウジング２の底面２ｃを覆う形でハウジング第一側面２ａ側に突出する一列の接続端子３と、絶縁性ハウジング２の第一側面２ａ側とは逆側の第二側面２ｂの底部側角部を覆う形で配置されたＬ字状の固定金具４と、を備え、絶縁性ハウジング２の第一側面２ａ側にて接続端子群３０の各接続端子３が基板の表面ａに対し半田付けによる半田によって固定可能であり、絶縁性ハウジング２の第二側面２ｂ側にて固定金具４が基板の表面に対し半田付けによる半田によって固定可能とされている。【選択図】図２
2011165337.tif 000002
【特許請求の範囲】
【請求項１】
基板表面上に実装される面実装型コネクタであって、
絶縁性ハウジングと、
前記絶縁性ハウジングの底面を覆う形で、該絶縁性ハウジングの長手方向に延びる第一側面側に向けて延出し、その先端が該第一側面側から突出する接続端子を前記長手方向に連続的に配列した形で有した接続端子群と、
前記絶縁性ハウジングに取り付けられた基板固定用の固定金具であって、少なくとも該絶縁性ハウジングの前記第一側面側とは逆側の第二側面の一部を覆う金具立部と、該金具立部の底部から該絶縁性ハウジングの第一側面に向けて突出し、前記接続端子とは非接触となる形で該絶縁性ハウジングの底面の一部を覆う金具底部と、を有したＬ字状の固定金具と、
を備え、前記絶縁性ハウジングの前記第一側面側にて前記接続端子群の各接続端子が前記基板表面に対し半田固定可能であり、前記絶縁性ハウジングの前記第二側面側にて前記固定金具が前記基板表面に対し半田固定可能であることを特徴とする面実装型コネクタ。
【請求項２】
前記固定金具は、前記絶縁性ハウジングの前記第二側面に設けられた固定金具取付部に対し前記金具立部の係合部を係合させる形で、該絶縁性ハウジングに固定される請求項１に記載の面実装型コネクタ。
【請求項３】
前記絶縁性ハウジングの固定金具取付部は、前記金具立部を底面側から上方に挿入させるポケット部であり、前記金具立部の係合部は、前記ポケット部の内部に設けられた係合受け部に対し係合固定する形で、前記固定金具取付部に取り付けられる請求項２に記載の面実装型コネクタ。
【請求項４】
弾性変形を生じる形で前記金具立部の係合部が前記ポケット部の係合受け部を乗り越え、その後弾性復帰して該係合受け部と係合することにより、前記金具立部が前記ポケット部に対し抜け止め結合する請求項３に記載の面実装型コネクタ。
【請求項５】
前記金具立部の係合部は、前記ポケット部への挿入方向側の面が、該金具立部の挿入方向側ほど狭幅となる傾斜面として設けられ、前記挿入方向とは逆側の面が、前記ポケット部に対し抜け止め結合された際に前記係合受け部に対し前記挿入方向とは逆向きに当接する当接面として設けられる請求項４に記載の面実装型コネクタ。
【請求項６】
前記接続端子は、前記絶縁性ハウジングの内部から前記絶縁性ハウジングの底面に向けて延出し、該底面の一部を覆う形で前記第一側面側に突出する形で設けられている請求項１ないし請求項５のいずれか１項に記載の面実装型コネクタ。
【請求項７】
前記金具底部は、前記接続端子の前記第二側面側の端部に非接触となる形で近接する凹部と、当該接続端子とこれに隣接する別の接続端子との間を前記第一側面側に向けて延出する凸部と、を繰り返し有する形状をなす請求項１ないし請求項６のいずれか１項に記載の面実装型コネクタ。
【請求項８】
前記金具立部は、前記絶縁性ハウジングの前記第二側面において前記長手方向の両端部に取り付けられており、それら双方に取り付けられる前記金具底部にそれぞれ形成されている前記凸部の合計数をＴ、前記接続端子群における接続端子の数をＮとした場合に、
１／１１＜Ｔ／Ｎ＜１／２
を満たす請求項７記載の面実装型コネクタ。
【請求項９】
前記金具立部は、前記絶縁性ハウジングの前記第二側面において前記長手方向の両端部に取り付けられてな修正る請求項１ないし請求項７のいずれか１項に記載の面実装型コネクタ。
【請求項１０】
請求項１ないし請求項９のいずれか１項に記載の面実装型コネクタを基板表面に実装した電子装置であって、前記絶縁性ハウジングの前記第一側面側にて前記接続端子群の各接続端子が前記基板表面に対し半田固定され、かつ、前記絶縁性ハウジングの前記第二側面側にて前記固定金具が前記基板表面に対し半田固定されてなることを特徴とする電子装置。
【発明の詳細な説明】
【技術分野】
【０００１】
本発明は、回路基板の表面上に実装され、ハウジングの長手方向に延びる第一側面側（片側）のみに接続端子を有する面実装型コネクタであって、特に半田のみで基板上に固定される面実装型コネクタと、これを半田付けにより表面に実装した電子装置とに関する。
【背景技術】
【０００２】
ハウジングの長手方向に延びる第一側面側（片側）にのみ接続端子を有する面実装型のコネクタを基板表面上に固定する場合には、特許文献１のように、ハウジング長手方向の両端側に、先端を外側に折り曲げたＬ字金具を装着して、接続端子とこのＬ字金具とを基板に対し半田付けして固定する方法がある。これにより、コネクタに相手コネクタを嵌合する際の力が接続端子にかからないようにしている。また、副次的な効果として、基板表面にコネクタを半田固定した後にこれを裏返して裏面への半田付け処理を行う場合に、下側となったコネクタが半田付け処理の熱で脱落することを防ぐという効果も得られる。
【０００３】
【特許文献１】特開平９−２７４９４９号公報
【発明の概要】
【発明が解決しようとする課題】
【０００４】
しかしながら、上記のような固定方法の場合、Ｌ字金具を取り付けるための取付部がハウジングの長手方向両端に必要となり、その分だけコネクタの基板に占める面積が増大するという課題があった。また、取付部に取り付けられるＬ字金具は外側に突出し、その突出部分が半田固定されるため、その突出部分も、基板に占める面積を増大する要因になっており、基板の大型化を引き起こしていた。
【０００５】
本発明の課題は、基板表面に半田固定した後、これを裏返して裏面への半田付け処理を行う際に脱落しないよう固定可能であり、かつ実装される基板の小型化を可能とする面実装型コネクタ、及びこれを基板表面に実装した電子装置を提供することにある。
【課題を解決するための手段および発明の効果】
【０００６】
上記課題を解決するために、本発明の面実装型コネクタは、
基板表面上に実装される面実装型コネクタであって、
絶縁性ハウジングと、
前記絶縁性ハウジングの底面を覆う形で、該絶縁性ハウジングの長手方向に延びる第一側面側に向けて延出し、その先端が該第一側面側から突出する接続端子を前記長手方向に連続的に配列した形で有した接続端子群と、
前記絶縁性ハウジングに取り付けられた基板固定用の固定金具であって、少なくとも該絶縁性ハウジングの前記第一側面側とは逆側の第二側面の一部を覆う金具立部と、該金具立部の底部から該絶縁性ハウジングの第一側面に向けて突出し、前記接続端子とは非接触となる形で該絶縁性ハウジングの底面の一部を覆う金具底部と、を有したＬ字状の固定金具と、
を備え、前記絶縁性ハウジングの前記第一側面側にて前記接続端子群の各接続端子が前記基板表面に対し半田固定可能であり、前記絶縁性ハウジングの前記第二側面側にて前記固定金具が前記基板表面に対し半田固定可能であることを特徴とする。
【０００７】
上記本発明の構成によると、接続端子がハウジングの第一側面側に、Ｌ字状の固定金具がそれとは真逆の第二側面側に配置されることで、接続端子と固定金具とがコネクタ全体の重心位置の両側に振り分けられ、バランスよく配置された状態となるから、互いに加わる外力の負荷を均等に分配することが可能となる。このため、後に基板が裏返されて再度の半田付けによる熱処理がなされたとしても、多少の振動でコネクタが脱落してしまうようなことはない。特許文献１のコネクタは、接続端子が形成されるハウジング側面に対し隣接するハウジング側面に固定金具が取り付けられているため、本発明よりもコネクタの支持する支持部（接続端子と固定金具）の配置バランスが悪く、本発明ほど安定して基板に固定することはできない。
【０００８】
また、本発明の構成によると、Ｌ字状の固定金具の金具底部が絶縁性ハウジングの底面を覆う形で該絶縁性ハウジングの内側に延出しているため、基板表面に実装した際に無駄な基板占有部を要さず、これにより、基板の小型化が可能となる。特許文献１のように、固定金具が絶縁性ハウジングの外側に突出すると、この外側の突出部分も基板表面を占有し、この部分が無駄となる。
【０００９】
本発明の固定金具は、前記絶縁性ハウジングの前記第二側面に設けられた固定金具取付部に対し前記金具立部の係合部を係合させる形で、該絶縁性ハウジングに固定されるものとできる。具体的にいえば、絶縁性ハウジングの固定金具取付部は、前記金具立部を底面側から上方に挿入させるポケット部であり、前記金具立部の係合部は、前記ポケット部の内部に設けられた係合受け部に対し係合固定する形で、前記固定金具取付部に取り付けることができる。これにより、ポケット部にＬ字状の固定金具の金具立部を挿入するだけで、絶縁性ハウジングに対し固定金具を容易に取り付けることができる。また、ポケット構造は、金具立部が板状であればそれほど厚みを要することなく形成できるため、絶縁性ハウジングの第二側面側が大きく突出して基板占有部を拡大するようなことはなく、コンパクトに形成できる。
【００１０】
本発明においては、弾性変形を生じる形で前記金具立部の係合部が前記ポケット部の係合受け部を乗り越え、その後弾性復帰して該係合受け部と係合することにより、前記金具立部が前記ポケット部に対し抜け止め結合するように構成できる。これにより、絶縁性ハウジングに対しＬ字状の固定金具を強固に固定することができる。具体的にいえば、金具立部の係合部は、絶縁性ハウジングのポケット部への挿入方向側の面を、該金具立部の挿入方向側ほど狭幅となる傾斜面として設け、他方、前記挿入方向とは逆側の面を、前記ポケット部に対し抜け止め結合された際に前記係合受け部に対し前記挿入方向とは逆向きに当接する当接面として設けることができる。これにより、一度ポケット部への金具立部の挿入が容易に可能となる一方、金具立部が挿入された後には、固定金具は容易に外れないように固定される。
【００１１】
本発明における接続端子は、絶縁性ハウジングの内部から絶縁性ハウジングの底面に向けて延出し、該底面の一部を覆う形で絶縁性ハウジングの第一側面側に突出する形で設けることができる。この構成によると、半田接合面は、絶縁性ハウジングの第一側面側に突出した部分の露出面だけでなく、絶縁性ハウジングの底面を覆う部分の底面も含むことができるため、基板に対しより強固に固定することができる。
【００１２】
本発明における金具底部は、前記接続端子の前記第二側面側の端部に非接触となる形で近接する凹部と、当該接続端子とこれに隣接する別の接続端子との間を前記第一側面側に向けて延出する凸部と、を繰り返し有する形状をなすものとできる。表面にコネクタを半田固定した後、これを裏返して裏面への半田付け処理を行う際、下側となったコネクタを固定している半田は、炉の中で約２６０度に再加熱されて再び液化するから、実際のところコネクタは、液化した半田の表面張力により支持されただけの状態となる。この表面張力を増すためには半田接合面の面積を拡大することが有効となるし、さらに絶対的な半田付け強度を確保するためには半田接合面の外周長さを長くとることが有効となる。本発明においては、上記のように金具底部が凹凸を繰り返し有する形状をなすことで、半田接合面の面積が拡大されるのみならず、その外周長さも長くなるため、半田による固定力を大きく得ることができ、コネクタをより安定的に支持できる。これは、接続端子側においても同様であり、半田接合面の面積を拡大し、さらにはその外周長さを長くとることで、コネクタをより安定的に支持できる。
【００１３】
上記の凹凸構成を有する場合、金具立部は、前記絶縁性ハウジングの前記第二側面において前記長手方向の両端部に取り付けられており、それら双方に取り付けられる前記金具底部に形成された前記凸部の合計数をＴ、前記接続端子群における接続端子の数をＮとした場合に、
１／１１＜Ｔ／Ｎ＜１／２
を満たすようにすることができる。表面にコネクタを半田固定した後、これを裏返して裏面への半田付け処理を行う際、コネクタの脱落を防ぐための重要な要素の一つに、支持バランスがある。即ち、接続端子側にて大きな表面張力でコネクタを支持しても、逆の固定金具側の表面張力がそれに釣り合わない表面張力でコネクタを支持している場合は、炉内の振動によって一方に過剰な負荷がかかって支持バランスが崩れ、コネクタが脱落してしまう可能性がある。上記構成及び数値範囲を満たすようにすることにより、コネクタの脱落を防ぐより安定した支持バランスを得ることが可能となる。
【００１４】
本発明において、金具立部は、前記絶縁性ハウジングの前記第二側面において前記長手方向の両端部に取り付けることができる。これにより、絶縁性ハウジングの第二側面側にて、基板に対しバランスよく固定することができる。
【００１５】
上記課題を解決するために、本発明の電子装置は、上記した面実装型コネクタを基板表面に実装した電子装置であって、前記絶縁性ハウジングの前記第一側面側にて前記接続端子群の各接続端子が前記基板表面に対し半田固定され、かつ、前記絶縁性ハウジングの前記第二側面側にて前記固定金具が前記基板表面に対し半田固定されてなることを特徴とする。これにより、上記した本発明の効果を有する電子装置を得ることができる。
【図面の簡単な説明】
【００１６】
【図１】本発明の一実施形態である面実装型コネクタの背面図。
【図２】図２の断面Ａ−Ａを模式的に示す段面図。
【図３】図２の断面Ｂ−Ｂを模式的に示す断面図。
【図４】文字入力画面の表示処理の流れを示すフローチャート。
【図５】図２の部分拡大図。
【図６】図５の断面Ｃ−Ｃを模式的に示す断面図。
【図７】図１の面実装型コネクタのコネクタハウジングに対し固定金具を組み付け中の状態を示す斜視図。
【図８】基板表面に本発明の面実装型コネクタを半田固定した後に、これを裏返し、基板裏面に半田付け処理を行ったときのコネクタ脱落状況を調べた実験結果。
【図９】基板表面上に図１のコネクタを半田付けした電子装置の断面Ａ−Ａを模式的に示す断面図。
【図１０】基板表面上に図１のコネクタを半田付けした電子装置の断面Ｂ−Ｂを模式的に示す断面図。
【発明を実施するための形態】
【００１７】
以下、本発明の操作装置の一実施形態を、図面を参照して説明する。
【００１８】
図１は本発明の一実施形態である面実装型コネクタの背面図であり、図２は、図１の面実装型コネクタの底面図であり、図３は、図２の断面Ａ−Ａを模式的に示す段面図であり、図４は、図２の断面Ｂ−Ｂを模式的に示す断面図であり、図５は、図２の部分拡大図であり、図６は、図５の断面Ｃ−Ｃを模式的に示す断面図であり、図７は、図１の面実装型コネクタのコネクタハウジングに対し固定金具を組み付け中の状態を示す斜視図である。
【００１９】
図１の面実装コネクタ（以下、単にコネクタと略する）１は、フラットケーブルやフレキシブルプリント板、リードが一列に並んだ電子部品（例えば液晶パネル等）のリード端子群等のような並列多芯電線の一端を、回路基板（以下、基板という）１０に導通させるために基板１０の表面１０ａ上に実装される面実装型のコネクタであり、樹脂射出成形体である絶縁性のコネクタハウジング（絶縁性ハウジング）２と、基板接続用の接続端子群３０と、固定金具４とを有して構成される。
【００２０】
接続端子群３０は、金属製の複数の接続端子３をコネクタハウジング２の長手方向に連続的に一列に配列した形で有する。各接続端子３は、コネクタハウジング２の底面２ｃを覆う形で、コネクタハウジング２の長手方向（以下、ハウジング長手方向という）に延びるコネクタハウジング２の第一側面（以下、ハウジング第一側面という）２ａ側に向けて延出し、その先端がハウジング第一側面２ａ側から外側に突出する。ここでの接続端子３は、コネクタハウジング２の内部からハウジング底面２ｃに向けて延出し、そのハウジング底面２ｃの一部を覆う形でハウジング第一側面２ａ側に屈曲する形でハウジング第一側面２ａよりも外側に突出している。
【００２１】
固定金具４は、コネクタハウジング２に取り付けられ、基板１０への半田固定のために設けられた金属製のＬ字状板部材である。ここでの固定金具４は、コネクタハウジング２に装着された状態において、ハウジング第一側面２ａ側とは逆側に位置するハウジング第二側面２ｂの一部（ハウジング底面２ｃ側）を覆う板状の金具立部４Ｂと、金具立部４Ｂの底端部４Ｂ２からハウジング第一側面２ａに向けて突出（ここでは屈曲）し、接続端子３とショートしないよう非接触となる形でハウジング底面２ｃの一部（ハウジング第二側面２ｂ側）を覆う板状の金具底部４Ｃと、を有してＬ字状に構成される。即ち、固定金具４は、ハウジング第二側面２ｂとハウジング底面２ｃとが形成するコネクタハウジング２の角部を覆う形で配置される。
【００２２】
コネクタハウジング２は、ハウジング底面２ｃに、ハウジング長手方向に連続する形で下方に開口し、その開口内で接続端子３を固定する端子固定用開口部２Ｈを有する。他方、ハウジング上面２ｄには、上記したフラットケーブルやフレキシブルプリント板、リード線群等の並列多芯電線の一端をなす外部電極部（図示なし）を挿入するための外部接続用開口部２Ｉを有する。本実施形態における各接続端子３は、コネクタハウジング２の内部にて、外部接続用開口部２Ｉから挿入された上記外部電極部に対し接続可能となるようハウジング第二側面２ｂ側に突出する外部電極接続部３Ｂと、その外部電極接続部３Ｂのハウジング第一側面２ａ側の端から下方に屈曲し、端子固定用開口部２Ｈの内壁面２ｈのうちの第一側面側の内壁面２ｈａに沿ってハウジング底面２ｃに達する端子中間部３Ｃと、その端子中間部３Ｃのハウジング底面２ｃ側（下端側）の端部からハウジング底面２ｃを覆う形でハウジング第一側面２ａ側に向けて延出し、その先端部３Ａａが第一側面２ａ側から突出し、後の半田付けにより基板１０に接続される基板接続部３Ａと、を有する。また、ハウジング底面２ｃには、ハウジング長手方向の第一側端縁から第二側端縁かけて溝部２３が形成されており、ハウジング第一側面２ａ側の溝内面が端子固定用開口部２Ｈの内壁面２ｈａから連続している。
【００２３】
また、コネクタハウジング２は、ハウジング第二側面２ｂに固定金具取付部２０を有し、固定金具取付部２０に対し固定金具４の金具立部４Ｂの係合部４１を係合させる形で、該固定金具４を取り付けることができる。固定金具取付部２０は、金具立部４Ｂの上端部４Ｂ１側をハウジング底面２ｃ側から上方に挿入させるポケット部２０として形成されており、金具立部４Ｂの係合部４１がポケット部２０の内部に設けられた係合受け部２１に対し係合固定する形で、固定金具取付部２０に取り付けられる。
【００２４】
具体的にいえば、固定金具４の金具立部４Ｂには、上記係合部４１として、ハウジング長手方向両端側の外面から外向きに突出する爪部が形成されており、他方、コネクタハウジング２のポケット部２０には、ハウジング長手方向両端側に、金具立部４Ｂの上方への挿通をガイドするガイド溝２２が形成されるとともに、当該ガイド溝２２のハウジング長手方向両端側の溝内面２２ａには、ポケット内側に向けて突出し、固定金具４の係合部４１を挿入方向逆向きに当接・係止させる係合受け部２１が形成されている。固定金具４の金具立部４Ｂがコネクタハウジングのポケット部２０内に挿入される際には、固定金具４の係合部４１及びポケット部２０の係合受け部２１のいずれかまたは双方に弾性変形を生じる形で、金具立部４Ｂの係合部４１がポケット部２０の係合受け部２１を乗り越え、その後弾性復帰することにより係合部４１と係合受け部２１と係合し、金具立部４Ｂがポケット部２０に対し抜け止め結合する。これにより、固定金具４はコネクタハウジング２に装着された状態となる。
【００２５】
なお、本実施形態においては、金具立部４Ｂの係合部４１が、ポケット部２０への挿入方向側の面４１ａが、金具立部４Ｂの挿入方向側ほど狭幅となる傾斜面４１ａとして設けられ、挿入方向とは逆側の面４１ｂが、ポケット部２０に対し抜け止め結合された際に係合受け部２１に対し挿入方向とは逆向きに当接する当接面４１ｂとして設けられており、傾斜面４１ａが弾性変形を伴う金具立部４Ｂのポケット部２０への挿入を容易とし、その後弾性復帰した際には、当接面４１ｂにおいて、金具立部４Ｂがポケット部２０に対し抜け止め状態にて保持される。
【００２６】
また、図７に示すように、金具立部４Ｂの底端部４Ｂ２は、ハウジング長手方向の側面が該ハウジング長手方向から外向きに突出しており、この突出部４２がポケット部２０の底面２０ｃと当接する形で、固定金具４のポケット部２０への挿入位置の位置決めがなされている。
【００２７】
また、コネクタハウジング２は、基板１０の表面１０ａに半田付けにより固定される際、位置決めを行うための位置決め部２Ｘが設けられている。本実施形態においては、コネクタハウジング２の長手方向両端部２Ｙに設けられており、それら両端部２Ｙを除くコネクタハウジング２の本体２Ｚの底面２ｃよりも下方に突出する突起部として形成されている。
【００２８】
このコネクタ１を半田付けにより基板１０の表面１０ａに固定した後には、その基板１０を裏返し、基板１０の裏面１０ｂへの半田付け処理が実施される。このとき、下側となったコネクタ１を固定している半田５は、炉の中で約２６０度に再加熱されて再び液化するから、このとき基板表面１０ａに既に半田固定されていたコネクタ１は、液化した半田５の表面張力により支持されただけの状態となる。本実施形態においては、上記の固定金具４を使用することにより，コネクタハウジング２の重心に対し、その片側において、複数の接続端子３の半田付けの表面張力により支えられる一方、その逆側においては、ハウジング長手方向両端に設置した固定金具４の半田付けの表面張力により支えられている。
【００２９】
このとき、コネクタ１の脱落を防ぐための重要な要素の一つに、支持バランスがある。即ち、接続端子３側（ハウジング第一側面２ａ側）にて大きな表面張力でコネクタ１を支持しても、逆の固定金具４側（ハウジング第二側面２ｂ側）の表面張力がそれに釣り合わない弱い表面張力でコネクタを支持している場合は、炉内の振動によって一方に過剰な負荷がかかって支持バランスが崩れ、コネクタ１が脱落してしまう可能性がある。従って、接続端子３側と固定金具４側での双方の表面張力が釣り合うような支持バランスが得られるように固定金具の横方向の寸法を決める必要がある。本実施形態においては、仮に接続端子３の数がさらに多いコネクタであったとしても、固定金具の長さを可変するだけで、コネクタに対し接続端子３側と固定金具４側での双方の表面張力が釣り合うようにすることが可能である。
【００３０】
なお、コネクタ１の脱落を防ぐためには、接続端子３側と固定金具４側での表面張力を増すことも重要であり、基板１０と、接続端子３及び固定金具４とにおける半田接合面（ここでは半田５を介して基板表面１０ａと対面する接続端子３及び固定金具４の面：半田塗布面）の面積を拡大することが有効である。さらには絶対的な半田付け強度を確保するために、その外周長さを長くとることも有効となる。
【００３１】
このため、固定金具４の金具底部４Ｃは、コネクタハウジング２に装着された状態において、接続端子３のハウジング第二側面２ｂ側とは非接触となる形で近接する凹部４Ｃ２と、接続端子３とこれに隣接する別の接続端子３との間をハウジング第一側面２ａ側に向けて延出する凸部４Ｃ１と、を繰り返し有した形状を有しており、上記半田接合面の面積が拡大されるとともに、さらにその半田接合面の外周長さも長くなっている。本実施形態における固定金具４は、ハウジング第二側面２ｂに対しハウジング長手方向の両端部２Ｙ，２Ｙの、計２箇所に取り付けられており、ここでは、それら２つの固定金具のそれぞれにおいて、凸部４Ｃ１を３個（Ｔ）、凹部４Ｃ２を２個有して形成されている。
【００３２】
なお、固定金具４については、ハウジング第二側面２ｂに対しハウジング長手方向の両端部２Ｙ，２Ｙの、計２箇所に取り付けられる金具底部４Ｃのそれぞれに形成された凸部４Ｃ１の合計数をＴ（すなわち両端部の２個の金具底部４Ｃにおける凸部４Ｃ１の数の和）、接続端子群３０における接続端子３の数をＮ（接続端子３の総数）とした場合に、以下の（式１）を満たすように調整されている。
１／１１＜Ｔ／Ｎ＜１／２  ・・・  （式１）
【００３３】
図８には、凸部４Ｃ１の数Ｔと、接続端子３の数Ｎを様々に変更した上で、基板１０の表面１０ａへのコネクタ１の半田付け処理を行い、さらに基板１０を裏返して裏面１０ｂへの半田付け処理を行って、２回目の裏面１０ｂ側の半田付け処理が終わった時にコネクタ１が脱落したか否かを調べた実験結果である。これによると、コネクタ１の片側に設けられた接続端子の数Ｎが２２個のとき、その逆側の両端に設けた固定金具４の凸部４Ａの数Ｔが２〜４個の時はコネクタ１の脱落が生じなかったが、Ｔが１個になると脱落が生じた。これは、固定金具４側の半田５の表面張力が不足し、表面張力のバランスが接続端子３側に偏りすぎた結果、半田付け処理の振動時に固定金具４側に大きな荷重負担がかかったことにより生じたものと推測できる。また、コネクタ１の片側に設けられた接続端子の数Ｎが１６個のとき、その逆側の両端に設けた固定金具４の凸部４Ａの数Ｔが１〜３個の時はコネクタ１の脱落が生じなかったが、Ｔが４個のときには脱落が生じた。これは、固定金具４側の半田５の表面張力が過剰となって、表面張力のバランスが固定金具４側に偏りすぎた結果、半田付け処理時の振動時に接続端子３側に大きな荷重負担がかかったことにより生じたものと推測できる。上記（式１）については、より望ましくは下記の（式２）を満たすことが望ましい。
１／８＜Ｔ／Ｎ＜３／８  ・・・  （式２）
【００３４】
図９及び図１０は、基板１０の表面１０ａ上にコネクタ１を半田付けした電子装置１００を、図３及び図４と同様の断面Ａ−Ａ及び断面Ｂ−Ｂを模式的に示す断面図である。半田付けは、基板１０の表面１０ａ上における接続端子３の接合予定面と固定金具４の接合予定面とに対し半田５をパターン塗布（印刷）し、その上で、コネクタ１の位置決め部（位置決め嵌合部）２Ｘを、基板１０の表面１０ａ上の位置決め部（位置決め嵌合受け部）１０Ｘに対し嵌合させる形で位置合わせしながら、パターン塗布された半田５上に、コネクタ１の接続端子３と固定金具４の双方の接合予定面を接触させる形で置き、その接触状態のまま冷却する。
【００３５】
これにより、接続端子３は、図９及び図１０に示すように、基板１０との密着面（半田５を介して基板１０の接触予定面に密着する面）だけでなく、ハウジング第一側面２ａ側に突出した基板接続部３Ａの露出面にも半田５が回り込んで接触した球状の形で固定されされる。また、固定金具４も、基板１０との密着面（半田５を介して基板１０の接触予定面に密着する面）だけでなく、金具立部４Ｂにおけるハウジング第二側面２ｂのハウジング底面２ｃ側にも半田５が回り込んで接触した球状の形で固定される。つまり、Ｌ字状の固定金具４における基板１０との半田接合面は、金具底部４Ｃの露出面（底面：コネクタハウジング２とは逆側の主表面）のみならず金具立部４Ｂの露出面（外表面：コネクタハウジング２とは逆側の主表面）も含まれるので、半田接合面を広く取ることができ、より強固に固定される。
【００３６】
以上、本発明の一実施形態を説明したが、これはあくまでも例示にすぎず、本発明はこれに限定されるものではなく、特許請求の範囲の趣旨を逸脱しない限りにおいて、当業者の知識に基づく種々の変更が可能である。例えば、上記実施形態におけるコネクタは、基板表面に実装される面実装コネクタであるが、コネクタ以外であってもよい。即ち、基板表面に実装される他の面実装型部品にも適用可能である。
【符号の説明】
【００３７】
１  面実装型コネクタ（面実装型部品）
２  コネクタハウジング（絶縁性ハウジング）
２ａ  ハウジング第一側面（第一側面）
２ｂ  ハウジング第二側面（第二側面）
２ｃ  ハウジング底面
２ｄ  ハウジング上面
２Ｉ  外部接続用開口部
２Ｈ  端子固定用開口部
２０  固定金具取付部（ポケット部）
２１  固定金具取付部の係合受け部
２２  ガイド溝
２２ａ  ガイド溝のハウジング長手方向両端側の溝内面
２Ｙ  コネクタハウジングの長手方向端部
２ｈａ  端子固定用開口部の第一側面側の内壁面
３  接続端子
３Ａ  基板接続部
３Ａａ  基板接続部の先端部
３Ｂ  外部電極接続部
３Ｃ  端子中間部
３０  接続端子群
４  固定金具
４Ｂ  金具立部
４Ｂ１  金具立部の上端部
４Ｂ２  金具立部の底端部
４Ｃ  金具底部
４Ｃ１  凸部
４Ｃ２  凹部
４１  金具立部の係合部
４１ａ  傾斜面
４１ｂ  当接面
５  半田
１０  回路基板（基板）
１０ａ  基板表面
１０ｂ  基板裏面
１０Ｘ  位置決め部（位置決め嵌合受け部）
１００  電子装置
Ｔ  固定金具４の凸部４Ｃ１の数Ｔ
Ｎ  接続端子３の数
【図１】
2011165337.tif 000003
【図２】
2011165337.tif 000004
【図３】
2011165337.tif 000005
【図４】
2011165337.tif 000006
【図５】
2011165337.tif 000007
【図６】
2011165337.tif 000008
【図８】
2011165337.tif 000009
【図９】
2011165337.tif 000010
【図１０】
2011165337.tif 000011
【図７】
2011165337.tif 000012